(57)【要約】【課題】薄型表示装置の組み立てに必要な工程数を削減し、組み立ての簡易化を可能とする技術を提案する。【解決手段】梱包セット２５０は、外装部材として、トップ用外装梱包箱２０１、囲い用外装梱包箱２０２、ボトム用外装梱包箱２０３を有している。さらに、梱包セット２５０は、いわゆるアドと呼ばれる緩衝材として、左上緩衝材２０４、上中央緩衝材２０５、右上緩衝材２０６、左下緩衝材２０７、下中央緩衝材２０８、右下緩衝材２０９を備える。さらに、左上緩衝材２０４及び右上緩衝材２０６は、ラウンド面２０４ｂ、２０６ｂが形成されている。より具体的には、左上緩衝材２０４及び右上緩衝材２０６が液晶テレビ本体２１１の上部の角に挿入された状態で、左上緩衝材２０４の左上の角部分及び右上緩衝材２０６の右上の角部分が曲面状に削り取られたような形状となっている。【選択図】図１５
2013184711.tif 000002
【特許請求の範囲】
【請求項１】
薄型表示装置の表示部本体とスタンドとが分離して、前記表示部本体の四隅に緩衝材が装着された状態で収納される梱包セットであって、
前記表示部本体が、上下逆転した状態で収納されていることを特徴とする梱包セット。
【請求項２】
前記四隅の緩衝材のうち、前記表示部本体の上部に装着される緩衝材は、短辺と長辺とを有する略直方体の形状を呈しており、梱包状態において前記表示部本体を装着する前記長辺方向に形成された第１の凹部とともに、前記第１の凹部と直交するとともに前記第１の凹部よりも深さが浅い第２の凹部を有することを特徴とする請求項１に記載の梱包セット。
【請求項３】
前記四隅の緩衝材のうち、前記表示部本体の上部に装着される緩衝材は、装着された状態の外側上部の角が曲面となっていることを特徴とする請求項１に記載の梱包セット。
【発明の詳細な説明】
【技術分野】
【０００１】
本発明は、梱包セットに係り、特に、薄型表示装置の梱包セットに関する。
【背景技術】
【０００２】
一般的に、液晶テレビ等に代表される薄型表示装置は、表示装置本体だけでなく、それを梱包する外装箱の薄型化も進んでいる。外装箱のスリム化をする為に、表示部とスタンド部を分けて梱包しており、購入後ユーザが組み立てる方式が主流となっている。
【０００３】
ここで、液晶テレビ（テレビセット）の開梱・組立手順及び梱包手順の公知の例について図１０及び図１１のフローチャートを参照して簡単に説明する。図１０に示すように、開梱・組立手順では、外箱（トップ用外装梱包箱）が取り外され（Ｓ９１）、右下及び左下の緩衝材が取り外される（Ｓ９２）。さらに、スタンドの部材が取り出され、スタンド台及び軸部が組み立てられる（Ｓ９３）。つづいて、下箱（ボトム用外装梱包箱）から表示部（液晶テレビ本体）が取り出されて平置きにされ（Ｓ９４）、表示部のスタンド挿入穴にスタンド軸部が挿入されネジ止めされる（Ｓ９５）。最後にテレビセットが起されて（Ｓ９６）、作業が完了する。
【０００４】
梱包手順では、下箱が配置され（Ｓ８１）、左下緩衝材と右下緩衝材とが下箱にセットされる（Ｓ８２）。つぎに、表示部が、下箱にセットされた左下緩衝材と右下緩衝材の各挿入用の凹部に収納される（Ｓ８３）。つづいて、スタンド部材が収納される（Ｓ８４）。そして、右上緩衝材及び左上緩衝材がセットされ（Ｓ８５）、上箱が被されて封止されて（Ｓ８６）。
【０００５】
ところで、梱包されている表示装置について、ユーザが開梱しやすいようにした技術について様々な技術が提案されている。例えば、薄型表示装置を梱包箱内に梱包した状態でスタンド部材の取り付けを許容する為に、スタンド部材取り付け部の梱包箱にミシン目が形成された技術がある（例えば、特許文献１参照）。そして、ユーザは、ミシン目に沿って梱包箱を引き裂くことで開口部を作成し、その開口部に沿って薄型表示装置にスタンド部材を取り付けることができる。
【先行技術文献】
【特許文献】
【０００６】
【特許文献１】特開２００６−１６０３３５号公報
【発明の概要】
【発明が解決しようとする課題】
【０００７】
ところで、従来の梱包／開梱方式では、購入後ユーザが組み立てる際に、スタンドの部品を箱から出してスタンド部として組み上げた後、ディスプレイ部を箱から一度取り出して平置きし、スタンド部を取り付けることで、テレビセットとして直立することが可能になっていた。つまり、テレビセットとして組み上がるまでに、複数の部品を取り出し、組み立て、取り付けを行う必要があった。特許文献１に開示の技術では、上記の作業について一定効果が得られたが、さらなる組み立て工数の削減や組み立ての簡易化が求められていた。また、近年では、液晶テレビの大型化が進み、従来の梱包／開梱方式では、対応できなくなっているケースもあり、別の技術が求められていた。
【０００８】
本発明は以上のような状況に鑑みなされたものであって、上記課題を解決する技術を提供することを目的とする。
【課題を解決するための手段】
【０００９】
本発明は、薄型表示装置の表示部本体とスタンドとが分離して、前記表示部本体の四隅に緩衝材が装着された状態で収納される梱包セットであって、前記表示部本体が、上下逆転した状態で収納されている。
また、前記四隅の緩衝材のうち、前記表示部本体の上部に装着される緩衝材は、短辺と長辺とを有する略直方体の形状を呈しており、梱包状態において前記表示部本体を装着する前記長辺方向に形成された第１の凹部とともに、前記第１の凹部と直交するとともに前記第１の凹部よりも深さが浅い第２の凹部を有してもよい。
また、前記四隅の緩衝材のうち、前記表示部本体の上部に装着される緩衝材は、装着された状態の外側上部の角が曲面となっていてもよい。
【発明の効果】
【００１０】
本発明によれば、薄型表示装置の組み立てに必要な工程数を削減し、組み立ての簡易化を可能とする技術を提案することができる。
【図面の簡単な説明】
【００１１】
【図１】第１の実施形態に係る、液晶テレビの梱包セットの構成を示した分解斜視図である。
【図２】第１の実施形態に係る、液晶テレビの梱包セットの開梱・組み立て手順を示すフローチャートである。
【図３】第１の実施形態に係る、トップ用外装梱包箱が取り外された状態の梱包セットを示す斜視図である。
【図４】第１の実施形態に係る、図３から左上緩衝材が取り外された状態の梱包セットを示す図である。
【図５】第１の実施形態に係る、スタンド軸部のスタンド取付部への取り付け状態を示す図である。
【図６】第１の実施形態に係る、スタンド部を液晶テレビ本体底面に取り付ける状態を示す図である。
【図７】第１の実施形態に係る、梱包セットを回転させる状態を示す側面図である。
【図８】第１の実施形態に係る、最終組み立て工程で左／右下緩衝材を取り外す状態を示す斜視図である。
【図９】第１の実施形態に係る、液晶テレビの梱包セットの梱包手順を示すフローチャートである。
【図１０】背景技術に係る、液晶テレビの開梱・組立手順を示すフローチャートである。
【図１１】背景技術に係る、液晶テレビの梱包手順を示すフローチャートである。
【図１２】第２の実施形態に係る、梱包セットの開梱及びスタンド部の取り付け作業までの手順を示した斜視図である。
【図１３】第２の実施形態に係る、右上緩衝材を示す斜視図である。
【図１４】第２の実施形態に係る、梱包セットを回転させる状態を示す側面図である。
【図１５】第３の実施形態に係る、液晶テレビの梱包セットの構成をトップ用外装梱包箱及びボトム用外装梱包箱を取り外して示した斜視図である。
【図１６】第３の実施形態に係る、液晶テレビの梱包セットの構成を示した分解斜視図である。
【図１７】第３の実施形態に係る、液晶テレビの梱包セットの開梱手順のうちトップ用外装梱包箱が取り外された状態を示す側面図である。
【図１８】第３の実施形態に係る、液晶テレビの梱包セットの開梱手順のうち、上中央緩衝材が取り外された状態を示す側面図である。
【図１９】第３の実施形態に係る、液晶テレビの梱包セットの開梱手順のうち、セットスタンドが取り付けられた状態を示す側面図である。
【図２０】第３の実施形態に係る、梱包セットを回転させる状態を示す側面図である。
【図２１】第３の実施形態に係る、液晶テレビを自立させた状態で、残りの緩衝材等を取り外す状態を示す側面図である。
【発明を実施するための形態】
【００１２】
次に、本発明を実施するための形態（以下、単に「実施形態」という）を、図面を参照して具体的に説明する。
【００１３】
＜第１の実施形態＞
図１は、本実施形態に係る液晶テレビ９０（「テレビセット」ともいう）の梱包セット５０の構成を示した図であり、梱包セット５０の各要素を分解して斜視図として示している。また、図２は、梱包セット５０の開梱・組み立て手順を示したフローチャートである。さらに、図３は、液晶テレビ９０が梱包された状態を示した斜視図であり、ここでは、トップ用外装梱包箱１を取り外した状態であり、図３（ａ）は表示部背面視を示し、図３（ｂ）は表示部正面視を示している。
【００１４】
液晶テレビ９０は、液晶テレビ本体１００（ディスプレイ部）、スタンド部１０２及びその他構成部材に分解されて梱包されている。ここでは、液晶テレビ９０の組み立てを簡易化する為に、梱包時に液晶テレビ本体１００が上下反転させて、アドと呼ばれる緩衝材によって保護され梱包されている。これにより、ユーザ宅で開梱した際に、スタンド部１０２等の部材の取り付け部（スタンド取付部１００ｂ）が上部になる。
【００１５】
梱包セット５０は、トップ用外装梱包箱１と、ボトム用外装梱包箱２と、左上緩衝材３と、右上緩衝材４と、左下緩衝材５と、右下緩衝材６とを備えている。トップ用外装梱包箱１及びボトム用外装梱包箱２は、ダンボールで形成されている。トップ用外装梱包箱１は、下側が開口しており、梱包状態で梱包セット５０の全体（底部を除く）を覆う形状となっている。また、ボトム用外装梱包箱２は、左下緩衝材５及び右下緩衝材６の高さと略同一の高さとなって、上側が開口となっている。
【００１６】
左上緩衝材３と、右上緩衝材４と、左下緩衝材５と、右下緩衝材６とは、それぞれ略直方体の形状を呈して発泡材で形成されており、液晶テレビ本体１００の四角を挿入するための挿入用凹部３ａ、４ａ、５ａ、６ａが形成されている。つまり、例えば図３（ａ）で示すように、左上緩衝材３は液晶テレビ本体１００の図示左上の角に挿入される。同様に、右上緩衝材４は液晶テレビ本体１００の図示右上の角に、左下緩衝材５は液晶テレビ本体１００の図示左下の角に、右下緩衝材６は図示右下の角にそれぞれ挿入される。
【００１７】
さらに、右上緩衝材４と右下緩衝材６にはスタンド部１０２を挿入するためのスタンド収納部１１２が凹状に形成されており、梱包時にスタンド部１０２の両端部が挿入され固定される。
【００１８】
また、左上緩衝材３の上面には、リモコン収納用凹部１０４が形成され、図示しないリモコンが収納される。また、右上緩衝材４の上部には、ビス１０３等の部品を収納する部品収納凹部１０３ａと、スタンド軸部１０１を収納するための軸部収納凹部１１４が形成されている。
【００１９】
つづいて、梱包セット５０の開梱・組み立てを図２のフローチャート及び図３〜８を参照して説明する。
【００２０】
まず、図３に示すように、トップ用外装梱包箱１が上方向に取り外される（Ｓ１１）。これによって、左上緩衝材３や右上緩衝材４が、液晶テレビ本体１００に取り付けられた状態で露出する。
【００２１】
づぎに、図４に示すように、リモコン収納凹部１０４にリモコンが収納されている左上緩衝材３が取り外される（Ｓ１２）。
【００２２】
つづいて、右上緩衝材４の取り外し工程が行われる（Ｓ１３）。具体的には、まず、右上緩衝材４の上面の凹部（部品収納凹部１０３ａ及び軸部収納凹部１１４）から、ビス１０３及びスタンド軸部１０１が取り外される。つぎに、図５に示すように、ボトム用外装梱包箱２に左下緩衝材５及び右下緩衝材６により配置され倒立状態となっている液晶テレビ本体１００のスタンド取付部１００ｂに、スタンド軸部１０１が配置される。なお、スタンド軸部１０１にはビス固定用穴１０１ａが複数形成されており、ビス１０３による固定に使用される。つぎに、スタンド軸部１０１が所定の位置に配置されたら、液晶テレビ本体１００（表示部）の底面方向から、ビス固定用穴１０１ａを介してビス１０３でスタンド軸部１０１がスタンド取付部１００ｂに固定される。スタンド軸部１０１の固定が終了したら、右上緩衝材４が取り外される。
【００２３】
つぎに、スタンド部１０２の取り付け工程が行われる（Ｓ１４）。具体的には、まず、スタンド部１０２が右下緩衝材６のスタンド収納部１１２から取り外される。さらに、スタンド部１０２が液晶テレビ本体１００に設置したスタンド軸部１０１に配置される。その後、図６に示すように、スタンド部１０２は、ビス１０３によって液晶テレビ本体１００の底面方向からスタンド軸部１０１に固定される。これによって、テレビセットである液晶テレビ９０の組み立てが完了する。
【００２４】
液晶テレビ９０の組み立てが完了すると、図７に示すように、液晶テレビ９０の上下反転工程がなされる（Ｓ１５）。具体的には、図７（ａ）に示すように、ボトム用外装梱包箱２の背面側の図７（ａ）の右下角Ｆ１を中心に、液晶テレビ９０が慎重に倒され、図７（ｂ）の状態になる。このとき、液晶テレビ本体１００のパネル破損防止の観点から、液晶テレビ９０の正面側が上側となっていることが好ましい。そして、図７（ｂ）の右下角Ｆ２を中心に、液晶テレビ９０が引き起こされ、図７（ｃ）の状態になる。
【００２５】
そして、液晶テレビ９０がスタンド部１０２により自立状態となると、図８に示すように、ボトム用外装梱包箱２、左下緩衝材５及び右下緩衝材６が取り外され（Ｓ１６）、開梱・組み立てが終了する。
【００２６】
つづいて、梱包セット５０の梱包手順について、図９のフローチャートを参照して説明する。
【００２７】
まず、ボトム用外装梱包箱２を床に配置し（Ｓ２１）、左下緩衝材５と右下緩衝材６とをボトム用外装梱包箱２の内部の所定の位置にセットする（Ｓ２２）。つぎに、液晶テレビ本体１００を反転させて、ボトム用外装梱包箱２にセットされた左下緩衝材５及び右下緩衝材６の挿入用凹部５ａ、６ａに液晶テレビ本体１００を収納する（Ｓ２３）。
【００２８】
つづいて、スタンド部１０２を右下緩衝材６のスタンド収納部１１２に収納する（Ｓ２４）。
【００２９】
さらに、スタンド部１０２の上部の両角に左上緩衝材３及び右上緩衝材４をセットする（Ｓ２５）。このとき、右上緩衝材４のスタンド収納部１１２にスタンド部１０２が収納される。
【００３０】
さらに、右上緩衝材４の部品収納凹部１０３ａ及び軸部収納凹部１１４に、ビス１０３等の部品やスタンド軸部１０１を収納する（Ｓ２６）。
【００３１】
そして、左上緩衝材３のリモコン収納凹部１０４にリモコンを収納し（Ｓ２７）、トップ用外装梱包箱１を被せて封止し（Ｓ２８）、梱包が終了する。
【００３２】
このような構成及び開梱・組み立て処理によって、開梱時に取り出した部品をそのままディスプレイ部に取り付け、組み立てることが可能になり、開梱終了と同時に液晶テレビ９０を組み上げることが可能になる。また、全てのビス締めを液晶テレビ本体１００の底面側から実施することにより、スタンドカバーを省略することが可能になり、コストダウンを図ることができる。
【００３３】
＜第２の実施形態＞
本実施形態は、第１の実施形態の変形例であり、主に異なる部分について説明する。図１２は、本実施形態に係る梱包セット５０の開梱及びスタンド部１０２の取り付け作業までの手順を示した斜視図である。図１２（ａ）に示すように、トップ用外装梱包箱１が取り外される。つぎに図１２（ｂ）に示すように、左上緩衝材３ｃ及び右上緩衝材４ｃの向きが９０度回転される。その後、図１２（ｃ）に示すようにスタンド部１０２が取り付けられる。
【００３４】
上述の第１の実施形態では、左上緩衝材３及び右上緩衝材４の間隔で、スタンド部１０２の幅方向の長さが規制された。言い換えると、スタンド部１０２の幅方向によって、左上緩衝材３及び右上緩衝材４の大きさが限定された。その結果、左上緩衝材３及び右上緩衝材４を十分に大きくすることができず、特に５０インチ超えるような大型の液晶表示装置等の梱包セットとしての緩衝材として要求されるスペックが不十分となり、別の部材を補充する必要があった。
【００３５】
そこで、本実施形態では、上記の課題を解決するために、第１の実施形態をさらに改良した、左上緩衝材３ｃ及び右上緩衝材４ｃを採用した。
【００３６】
図１３は、右上緩衝材４ｃの斜視図を示している。なお、左上緩衝材３ｃについても同様の構造を有している。また、リモコン収納凹部１０４等の構造に関する図示は省略している。
【００３７】
図示のように、右上緩衝材４ｃは、液晶テレビ本体１００の奥行き方向（厚さ方向）の短辺Ｌ１と、液晶テレビ本体１００の幅方向と同一方向の長辺Ｌ２（＞Ｌ１）の寸法となっている。
【００３８】
梱包状態において液晶テレビ本体１００が挿入される挿入用凹部４ａが長辺方向に所定の深さＨ１で形成されている。さらに、本実施形態において特徴的な構成として、挿入用凹部４ａと交差するように所定深さＨ２の組立時挿入用凹部８が短辺方向に形成されている。組立時挿入用凹部８の深さＨ２は、挿入用凹部４ａの深さＨ１より浅く形成されている。
【００３９】
図１２（ｃ）や図１４（ａ）の状態から、図１４（ｂ）に示すように液晶テレビ本体１００が慎重に倒され、さらに図１４（ｃ）に示すように、液晶テレビ本体１００が上下転倒した状態からスタンド部１０２が下にある位置に、つまり右上緩衝材４ｃが下側になるように回転される。その後、図１４（ｄ）に示すように、左上緩衝材３ｃ、右上緩衝材４ｃ、左下緩衝材５及び右下緩衝材６や、ボトム用外装梱包箱２が取り外される。これによって梱包・組み立て作業が完了する。
【００４０】
以上、本実施形態によると、例えば、図１２（ｃ）に示すように、左上緩衝材３ｃおよび右上緩衝材４ｃが９０度回転し組立時挿入用凹部８が液晶テレビ本体１００の上角に挿入されると、左上緩衝材３ｃおよび右上緩衝材４ｃの間隔が十分に広がる。これによって、スタンド部１０２の幅設計の自由度が向上する。また、液晶テレビ本体１００を上下逆さまにした状態でスタンド部１０２を取り付ける作業を行うので、大型の液晶テレビ９０であっても、一人で作業を行うことができる。
【００４１】
＜第３の実施形態＞
図１５及び図１６は、本実施形態に係る梱包セット２５０を示した斜視図であり、図１５はトップ用外装梱包箱２０１及びボトム用外装梱包箱２０３を取り外した状態を示し、図１６は構成部材を分離して示している。
【００４２】
図示のように、梱包セット２５０は、外装部材として、トップ用外装梱包箱２０１、囲い用外装梱包箱２０２、ボトム用外装梱包箱２０３を有している。さらに、梱包セット２５０は、いわゆるアドと呼ばれる緩衝材として、左上緩衝材２０４、上中央緩衝材２０５、右上緩衝材２０６、左下緩衝材２０７、下中央緩衝材２０８、右下緩衝材２０９を備える。また、左上緩衝材２０４、上中央緩衝材２０５、右上緩衝材２０６、左下緩衝材２０７、下中央緩衝材２０８及び右下緩衝材２０９のそれぞれは、液晶テレビ本体２１１を挿入する為の挿入用凹部２０４ａ〜２０９ａを備えている。また、上中央緩衝材２０５及び下中央緩衝材２０８には、セットスタンド２１０を収納するためのスタンド収納部２０５ｂ、２０８ｂを備える。
【００４３】
さらに、左上緩衝材２０４及び右上緩衝材２０６は、本実施形態において特に特徴的な構造として、ラウンド面２０４ｂ、２０６ｂが形成されている。より具体的には、左上緩衝材２０４及び右上緩衝材２０６が液晶テレビ本体２１１の上部の角に挿入された状態で、左上緩衝材２０４の左上の角部分及び右上緩衝材２０６の右上の角部分が、上面から側面（左上緩衝材２０４では左側面）にかけて曲面状に削り取られたような形状となっている。ここでは、ラウンド面２０４ｂ、２０６ｂは、全体に対して十分に大きな比率を占めており、上面及び左側面（又は右側面）の約１／２を占めている。
【００４４】
以上の構成による開梱手順を主に図１７〜２１を参照して説明する。
まず、図１７に示すように、トップ用外装梱包箱１が取り外される。つづいて、図１８に示すように、上中央緩衝材２０５が取り外され、セットスタンド２１０が下中央緩衝材２０８のスタンド収納部２０８ｂから取り外される。その後、同梱のスタンド固定用アングルと組み上げてセットスタンド２１０を完成させて、液晶テレビ本体２１１に裏返して取り付ける。
【００４５】
さらに、図１９に示すように、セットスタンド２１０と液晶テレビ本体２１１とをテレビ本体固定用ネジ２１３（ビス）で背面からネジ固定する。このとき、囲い用外装梱包箱２０２は、ネジ穴が確認可能なラインでカットされている。
【００４６】
このとき、セットスタンド２１０の最上面は、左上緩衝材２０４や右上緩衝材２０６の上面と比較して、例えば５ｍｍ程度高い位置になっている。
【００４７】
そして、図２０（ａ）の状態から梱包セット２５０全体を９０度（図示では時計回り方向に９０度）回転させた図２０（ｂ）の側転状態、つまり短辺が床面に接した状態を経て、図２０（ｃ）に示すように、セットスタンド２１０が床面に接した状態になる。
【００４８】
この回転工程とき、セットスタンド２１０は既にネジ固定されているため落下することはない。また、上述のように、右上緩衝材２０４及び右上緩衝材２０６には、曲面加工が施されたラウンド面２０４ｂ、２０６ｂが備わるので、図示で左右いずれの方向に対しても箱ごと（梱包セット２５０ごと）回転させる場合に容易に回転させ易い構造となっている。
【００４９】
回転させる時は、トップ用外装梱包箱２０１は取り外されているが、囲い用外装梱包箱２０２及びボトム用外装梱包箱２０３、上中央緩衝材２０５を除く他の緩衝材（２０４、２０６〜２０９）が取り付けられた状態となっている。その結果、梱包時の形状が維持されていることから、梱包セット２５０の部材が不安定となり、作業性を低下させるといったことが回避される。仮に梱包セット２５０が倒れる様なことがあっても、上述の通り緩衝材等があることで、液晶テレビ本体２１１は損傷することがない。
【００５０】
そして、最後に、図２１に示すように、囲い用外装梱包箱２０２及びボトム用外装梱包箱２０３、上中央緩衝材２０５を除く他の緩衝材（２０４、２０６〜２０９）が取り外される。このとき、図２０（ｃ）に示したように、セットスタンド２１０に対して、つまり床面に対して、左上緩衝材２０４及び右上緩衝材２０６は５ｍｍ程度離間し浮いたような状態となっている。その結果、左上緩衝材２０４及び右上緩衝材２０６の取り外しの際に、床面との間に摩擦力が発生することなく、スムーズに取り外しが可能となる。
【００５１】
そして、左上緩衝材２０４及び右上緩衝材２０６が取り外された時には、液晶テレビ９０は安定に維持して自立した状態となっているため、ボトム用外装梱包箱２や左上緩衝材３の取り外し作業も容易にでき、開梱と組み立て作業を同時に完了させることができる。
【００５２】
このような構造及び作業工程を採用することで、従来では複数人必要であった作業が、１人であっても十分に行える。また、開梱時に液晶テレビ９０本体を梱包箱から取り出して場所を移し替えなくとも梱包箱に入ったままの状態で、しかもセットが自立した状態を維持してセットスタンド２１０を取り付けることができる。
【００５３】
以上、本発明を実施形態をもとに説明した。この実施形態は例示であり、それらの各構成要素の組み合わせ等にいろいろな変形例が可能なこと、またそうした変形例も本発明の範囲にあることは当業者に理解されるところである。
【符号の説明】
【００５４】
１、２０１  トップ用外装梱包箱
２、２０３  ボトム用外装梱包箱
３、３ｃ、２０４  左上緩衝材
３ａ〜６ａ、２０４ａ〜２０９ａ  挿入用凹部
４、４ｃ、２０６  右上緩衝材
５、２０７  左下緩衝材
６、２０９  右下緩衝材
８  組立時挿入用凹部
５０、２５０  梱包セット
９０  液晶テレビ
１００、２１１  液晶テレビ本体
１００ｂ  スタンド取付部
１０１  スタンド軸部
１０１ａ  ビス固定用穴
１０２  スタンド部
１０３  ビス
１０３ａ  部品収納凹部
１０４  リモコン収納凹部
１１２  スタンド収納部
１１４  軸部収納凹部
２０２  囲い用外装梱包箱
２０４ｂ、２０６ｂ  ラウンド面
２０５  上中央緩衝材
２０５ｂ、２０８ｂ  スタンド収納部
２０８  下中央緩衝材
２１０  セットスタンド
【図１】
2013184711.tif 000003
【図２】
2013184711.tif 000004
【図３】
2013184711.tif 000005
【図４】
2013184711.tif 000006
【図５】
2013184711.tif 000007
【図６】
2013184711.tif 000008
【図７】
2013184711.tif 000009
【図８】
2013184711.tif 000010
【図９】
2013184711.tif 000011
【図１０】
2013184711.tif 000012
【図１１】
2013184711.tif 000013
【図１２】
2013184711.tif 000014
【図１３】
2013184711.tif 000015
【図１４】
2013184711.tif 000016
【図１５】
2013184711.tif 000017
【図１６】
2013184711.tif 000018
【図１７】
2013184711.tif 000019
【図１８】
2013184711.tif 000020
【図１９】
2013184711.tif 000021
【図２０】
2013184711.tif 000022
【図２１】
2013184711.tif 000023